(57)【要約】【課題】  シーツの取付け等が簡単かつ確実に行える等の取り扱いが容易で、しかも尿漏れ等を確実に防止し得るようにしたペット用トイレを提供する。【解決手段】  外縁部分に沿って突設された土手部２２を有し全体がほぼ浅皿状を呈するトイレ本体２０と、このトイレ本体上に広げて敷設されるシーツＳと、トレイ本体の土手部１２の一部を覆う状態で配置されたシーツの縁部を挟み込んで固定する押さえ枠３０と、この押さえ枠を、トイレ本体に一体的に連結固定する連結手段４０，４２とを備える。トイレ本体の土手部の一部に、シーツの歪み、弛み部分を収容可能なシーツ逃がし用凹部２４を形成する。【選択図】        図１
2014221036.tif 000002
【特許請求の範囲】
【請求項１】
外縁部分に沿って突設された土手部を有し全体がほぼ浅皿状を呈するトイレ本体と、
このトイレ本体上に広げて敷設されるシーツと、
前記トレイ本体の土手部の少なくとも一部を覆う状態で配置された前記シーツの縁部を挟み込んで固定する押さえ枠と、
この押さえ枠を、前記トイレ本体に一体的に連結固定する連結手段とを備え、
前記トイレ本体の土手部の一部に、前記シーツの歪み、弛み部分を収容可能なシーツ逃がし用凹部を形成したことを特徴とするペット用トイレ。
【請求項２】
請求項１記載のペット用トイレにおいて、
前記シーツ逃がし用凹部は、前記トイレ本体の土手部におけるコーナ部またはその近傍に設けられていることを特徴とするペット用トイレ。
【請求項３】
請求項１または請求項２記載のペット用トイレにおいて、
前記押さえ枠の下面であって前記シーツ逃がし用凹部に対向する位置に、該シーツ逃がし用凹部内に係入することでシーツの歪み、弛みを吸収するための係合凸部を設けたことを特徴とするペット用トイレ。
【請求項４】
請求項１ないし請求項３のいずれか１項に記載のペット用トイレにおいて、
前記トレイ本体の上面またはこれに対向する押さえ枠の下面のいずれか一方に、少なくとも１個以上の嵌合凸部を設けるとともに、他方に前記嵌合凸部に嵌合する嵌合凹部を設けたことを特徴とするペット用トイレ。
【請求項５】
請求項４記載のペット用トイレにおいて、
前記嵌合凸部と嵌合凹部とは、前記トレイ本体上であって土手部内側に配置されていることを特徴とするペット用トイレ。
【請求項６】
請求項４または請求項５記載のペット用トイレにおいて、
前記嵌合凸部と嵌合凹部とは、前記トイレ本体上であってコーナ部近くに配置されていることを特徴とするペット用トイレ。
【請求項７】
請求項１ないし請求項６のいずれか１項に記載のペット用トイレにおいて、
前記トレイ本体上に敷設されたシーツの上面を覆うように配置される網部材を備えていることを特徴とするペット用トイレ。
【請求項８】
請求項７記載のペット用トイレにおいて、
前記網部材は、前記トレイ本体と前記押さえ枠との間に挟み込まれた状態で保持固定されていることを特徴とするペット用トイレ。
【請求項９】
請求項１ないし請求項８のいずれか１項に記載のペット用トイレにおいて、
前記トレイ本体と押さえ枠は、全体がほぼ矩形状を呈するものであって、それぞれの長辺部の少なくとも２個所以上を、前記連結手段で連結固定されていることを特徴とするペット用トイレ。
【請求項１０】
請求項１ないし請求項９のいずれか１項に記載のパット用トイレにおいて、
前記トイレ本体上に広げて敷設されるシーツは、前記シーツ逃がし用凹部を含めて前記土手部の少なくとも上側部分に被されるように、全体がほぼ浅皿状を呈する状態で敷設されていることを特徴とするペット用トイレ。
【発明の詳細な説明】
【技術分野】
【０００１】
本発明は、犬や猫等のペットを室内で飼育する際のトイレに係り、特にシーツを広げて敷くことにより固定して使用するペット用トイレに関する。
【背景技術】
【０００２】
従来この種のペット用トイレとして、従来から種々の構造のものが知られている。
例えば特許文献１には、シーツを床面上に敷設するトイレ本体と、このトイレ本体上に載置して固定されることによりトイレ本体上にシーツを挟み込んで固定する押さえ枠とを備えてなる構造のものが提案されている。
【０００３】
ところで、この種のペット用トイレにおいて、必要とされることは、シーツを簡単かつ確実にセットすることが可能で、しかもシーツを尿漏れ等を生じない状態で保持固定することができることである。そして、上述した特許文献１による従来構造でも、トイレ本体や押さえ枠にシーツのずれ止め用の突起部を設けること等の対策が講じられていた（例えば、特許文献１参照）。
【先行技術文献】
【特許文献】
【０００４】
【特許文献１】特許第３６０９８５５号公報
【発明の概要】
【発明が解決しようとする課題】
【０００５】
しかし、上述した従来のペット用トイレによれば、シーツを所要の状態でセットすること等が難しく、またシーツを固定する力が弱く、ペットがシーツ上で激しく動いた場合には、シーツが外れてしまうことがあった。特に、尿漏れ等を生じる虞れもあり、より一層簡単な構造により、シーツを簡単にしかも確実にセット固定することができるような何らかの対策を講じることが望まれている。
【０００６】
本発明はこのような事情に鑑みてなされたものであり、シーツの取付け等が簡単かつ確実に行える等の取り扱いが容易で、しかも尿漏れ等を確実に防止し得るようにしたペット用トイレを得ることを目的とする。
【課題を解決するための手段】
【０００７】
このような目的に応えるために本発明（請求項１記載の発明）に係るペット用トイレは、外縁部分に沿って突設された土手部を有し全体がほぼ浅皿状を呈するトイレ本体と、このトイレ本体上に広げて敷設されるシーツと、前記トレイ本体の土手部の少なくとも一部を覆う状態で配置された前記シーツの縁部を挟み込んで固定する押さえ枠と、この押さえ枠を、前記トイレ本体に一体的に連結固定する連結手段とを備え、前記トイレ本体の土手部の一部に、前記シーツの歪み、弛み部分を収容可能なシーツ逃がし用凹部を形成したことを特徴とする。
【０００８】
本発明（請求項２記載の発明）に係るペット用トイレは、請求項１において、前記シーツ逃がし用凹部は、前記トイレ本体の土手部におけるコーナ部またはその近傍に設けられていることを特徴とする。
【０００９】
本発明（請求項３記載の発明）に係るペット用トイレは、請求項１または請求項２において、前記押さえ枠の下面であって前記シーツ逃がし用凹部に対向する位置に、該シーツ逃がし用凹部内に係入することでシーツの歪み、弛みを吸収するための係合凸部を設けたことを特徴とする、
【００１０】
本発明（請求項４記載の発明）に係るペット用トイレは、請求項１ないし請求項３のいずれか１項において、前記トレイ本体の上面またはこれに対向する押さえ枠の下面のいずれか一方に、少なくとも１個以上の嵌合凸部を設けるとともに、他方に前記嵌合凸部に嵌合する嵌合凹部を設けたことを特徴とする。
【００１１】
本発明（請求項５記載の発明）に係るペット用トイレ、請求項４において、前記嵌合凸部と嵌合凹部とは、前記トレイ本体上であって土手部内側に配置されていることを特徴とする。
【００１２】
本発明（請求項６記載の発明）に係るペット用トイレは、請求項４または請求項５において、前記嵌合凸部と嵌合凹部とは、前記トイレ本体上であってコーナ部近くに配置されていることを特徴とする。
【００１３】
本発明（請求項７記載の発明）に係るペット用トイレは、請求項１ないし請求項６のいずれか１項において、前記トレイ本体上に敷設されたシーツの上面を覆うように配置される網部材を備えていることを特徴とする。
【００１４】
本発明（請求項８記載の発明）に係るペット用トイレは、請求項７において、前記網部材は、前記トレイ本体と前記押さえ枠との間に挟み込まれた状態で保持固定されていることを特徴とする。
【００１５】
本発明（請求項９記載の発明）に係るペット用トイレは、請求項１ないし請求項８のいずれか１項において、前記トレイ本体と押さえ枠は、全体がほぼ矩形状を呈するものであって、それぞれの長辺部の少なくとも２個所以上を、前記連結手段で連結固定されていることを特徴とする。
【００１６】
本発明（請求項１０記載の発明）に係るペット用トイレは、請求項１ないし請求項９のいずれか１項において、前記トイレ本体上に広げて敷設されるシーツは、前記シーツ逃がし用凹部を含めて前記土手部の上側部分に被されるように、全体がほぼ浅皿状を呈する状態で敷設されていることを特徴とする。
【発明の効果】
【００１７】
以上説明したように本発明に係るペット用トイレによれば、シーツをトイレ本体上に広げて敷き、押さえ枠を重ね合わせ、これらを連結することにより、シーツを所要の形状、すなわち尿漏れ等を生じないような浅皿形状を維持した状態でセットすることが簡単かつ確実に行える。
【００１８】
特に、本発明によれば、トイレ本体上にシーツを広げて敷き、該シーツの外縁部分を、トイレ本体外縁の土手部上にも載せることにより、シーツは、全体が浅皿状を呈する形状となり、その形状を維持した状態で、シート本体上にセットされることになる。
そして、このようにセットされたシートによれば、土手部上に載せられた縁部分の存在によって、尿などが外部に漏れることを防止できる。
【００１９】
換言すれば、本発明によれば、トイレ本体上の嵌合凸部と押さえ枠裏面の嵌合凹部との嵌合、トイレ本体の土手部の逃がし用凹部の存在、さらに該逃がし用凹部への係合凸部の係入によって、シーツの撓みや弛みを吸収でき、全体がほぼ浅皿状を呈するような形状とし、その形状、状態を維持することができる。
【００２０】
特に、本発明によれば、嵌合凹部と嵌合凸部、さらに逃がし用凹部の存在によってシーツの歪み、弛みを吸収することができる。この場合、逃がし用凹部内に係入する係合凸部の存在によって、より一層確実にシーツをセットすることができる。特に、逃がし用の凹部によって、シーツの縁部分に生じる歪みや弛みを確実に吸収でき、これによりシーツをほぼ浅皿状状態でトイレ本体にセットすることができる。
【００２１】
また、本発明によれば、網部材をシーツ上に載せて押さえることにより、ペットが網部材の上からシーツを爪で引っ掻いたり、噛んだりしても、取り付けたシーツが破れないよう保護することができる。
【図面の簡単な説明】
【００２２】
【図１】本発明に係るペット用トイレの一実施形態を示す概略斜視図である。
【図２】図１のペット用トイレの平面図である。
【図３】図１のペット用トイレの正面図である。
【図４】図１のペット用トイレにおける押さえ枠を示す概略斜視図である。
【図５】本発明に係るペット用トイレにおいて、要部となるシーツ逃がし用凹部付近の具体的な断面形状を示す要部断面図である。
【図６】本発明に係るペット用トイレの変形例を説明するための網部材の概略斜視図である。
【図７】図６の網部材を組付けたペット用トイレの概略斜視図である。
【発明を実施するための形態】
【００２３】
図１ないし図４は本発明に係るペット用トイレの一実施形態を示す。
これらの図において、全体を符号１０で示すペット用トイレは、外縁部分に沿って突設された土手部２２を有し全体がほぼ角型浅皿状を呈するトイレ本体２０と、このトイレ本体２０上に広げて敷設されるシーツＳと、前記トレイ本体２０の土手部２２の少なくとも一部（土手部２２の内側部分から頂部にかけて）を覆う状態で配置された前記シーツＳの縁部を挟み込んで固定する押さえ枠３０と、この押さえ枠３０を、前記トイレ本体２０に一体的に連結固定する連結手段４０，４２とを備えている。
【００２４】
なお、上述したトイレ本体２０や押さえ枠３０等の構成部材は、例えば角型浅皿形状、四角枠体形状等のように矩形状を呈するように合成樹脂材で一体成型されている。
【００２５】
また、上述した連結手段４０，４２としては、例えばペット用トイレ１０の長辺部の一方に設けたヒンジ手段４０と、他方に設けた引っ掛けフック手段４２とによって構成している。ヒンジ手段４０は、長辺部の所定間隔をおいた二個所に設けられている。このヒンジ手段４０は、トイレ本体２０に設けた軸状部（図示せず）と該軸状部を抱え込むことで回動自在に連結支持されるように構成されている。他方、引っ掛けフック手段４２も、他方の長辺部の所定間隔をおいた二個所に設けられている。この引っ掛けフック手段４２は、トイレ本体２０側に設けた係止片部４２ｂ，４２ｂに対し、押さえ枠３０に揺動可能に設けたフック爪４２ａ，４２ａによって構成されている。
【００２６】
勿論、このような連結手段４０，４２としては、このような実施形態での構造には限定されず、種々の形状、構造をもつ連結手段を採用することは自由である。要は、トイレ本体２０上にシーツＳを敷き、押さえ枠３０で押さえた状態で、これらを一体的に連結固定できる連結手段であればよい。また、連結手段４０，４２は、矩形状の長辺部分において少なくとも２個所以上に設けるとよい。
この実施形態では、矩形状の長辺部における角部近くの二位置に連結手段４０，４２を設けており、これにより、トイレ本体２０に対し押さえ枠３０を強固に連結固定できるように構成されている。
【００２７】
本発明によれば、前記トイレ本体２０の土手部２２の一部に、図１、図２、図５等に示すように、前記シーツＳの歪み、弛み部分を収容可能なシーツ逃がし用凹部２４を形成したところに特徴を有している。この実施形態では、土手部２２の四個所のコーナ部内側に設けている。
勿論、このようなコーナ部内側に限らず、コーナ部の近傍に設けることは自由である。
【００２８】
このような構成によれば、シーツＳをトイレ本体２０上に広げて、記シーツ逃がし用凹部２４を含めて前記土手部２２の上側部分に被さるように敷いた場合に、土手部２２上に載せられる縁部付近で生じることが多い歪み、弛み部分を収納し、シーツＳを全体が角型浅皿状を呈するような形状にし、その形状を保持することが可能となる。
【００２９】
特に、本発明によれば、前記押さえ枠３０の下面であって前記シーツ逃がし用凹部２４に対向する位置に、図１、図２、図４、図５等に示すように、該シーツ逃がし用凹部２４内に係入することでシーツの歪み、弛みを吸収するための係合凸部３４を設けている。
【００３０】
このような構成とすれば、トイレ本体２０上に敷いたシーツＳを、歪み、弛みを吸収することで、浅皿状に成形してその形状を維持することができる。
特に、シーツＳの成形効果は、シーツ逃がし用凹部２４内に係合凹部３４に係入させることにより、より一層の効果を発揮し得ることは、容易に理解されよう。
【００３１】
さらに、本発明によれば、前記トレイ本体２０の上面またはこれに対向する押さえ枠３０の下面のいずれか一方に、少なくとも１個以上の嵌合凸部２６を設けるとともに、他方に前記嵌合凸部２６に嵌合する嵌合凹部３６を設けている。
【００３２】
ここで、これらの嵌合凸部２６と嵌合凹部３６とは、前記トレイ本体２０上であって土手部２２の内側の八個所に配置されている。これらの嵌合凸部２６のうちのいくつか（ここでは四個所）は、前記トイレ本体２０上であってコーナ部近くに配置され、対応する嵌合凹部３６も同一個所に設けられている。
【００３３】
そして、このような嵌合凸部２６と嵌合凹部３６を設けたことにより、シーツＳをトイレ本体２０上に敷いた状態でその位置を固定保持することが可能となり、上記のシーツ逃がし用凹部２４、係合凸部３４によるシーツＳの歪み、弛みの抑制効果と加えて、シーツＳのセット、固定、さらには浅皿状への成形性を確保することができる。
【００３４】
以上の構成によるペット用トイレ１０によれば、シーツＳをトイレ本体２０上に広げて敷き、押さえ枠３０を重ね合わせ、これらを連結することにより、シーツＳを所要の形状、すなわち尿漏れ等を生じないような浅皿形状を維持した状態でセットすることが簡単かつ確実に行える。
【００３５】
特に、トイレ本体２０上にシーツＳを広げて敷き、該シーツＳの外縁部分を、トイレ本体２０外縁の土手部２２上にも載せることにより、シーツＳは、全体が浅皿状を呈する形状となり、その形状を維持した状態で、シート本体２０上にセットされることになる。
そして、このようにセットされたシートＳによれば、土手部２２上に載せられた縁部分の存在によって、尿などが外部に漏れることを防止できるものである。
【００３６】
さらに、トイレ本体２０上の嵌合凸部２６と押さえ枠３０裏面の嵌合凹部３６との嵌合、トイレ本体２０の土手部２２の逃がし用凹部２４の存在、さらに該逃がし用凹部２４への係合凸部３４の係入によって、シーツＳの撓みや弛みを吸収でき、全体がほぼ浅皿状を呈するような形状とし、その形状、状態を維持することができる。
【００３７】
特に、嵌合凹部３６と嵌合凸部２６、さらに逃がし用凹部２４の存在によってシーツＳの歪み、弛みを吸収することができる。この場合、逃がし用凹部２４内に係入する係合凸部３６の存在によって、より一層確実にシーツＳをセットすることができる。しかも、逃がし用の凹部によって、シーツの縁部分に生じる歪みや弛みを確実に吸収でき、これによりシーツをほぼ浅皿状状態でトイレ本体にセットすることができる。
【００３８】
なお、本発明は上述した実施の形態で説明した構造には限定されず、ペット用トイレ１０を構成する各部の形状、構造等を適宜変形、変更し得ることはいうまでもない。
例えば上述した実施形態では、図６および図７に示すように、シートＳの上面に載せることで、該シートＳのずれや破損などから保護するための網部材６０を選択的に用いるようにしてもよい。
【００３９】
ここで、網部材６０は、トレイ本体２０と押さえ枠３０との間に挟み込まれた状態で保持固定されている。そして、このように網部材６０をシーツＳ上に載せて押さえることにより、ペットが網部材６０の上からシーツＳを爪で引っ掻いたり、噛んだりしても、取り付けたシーツＳが破れないよう保護することができる。
【符号の説明】
【００４０】
１０ ペット用トイレ
２０ トイレ本体
２２  土手部
２４  シーツ逃がし用凹部
２６  嵌合凸部
３０  押さえ枠
３４  係合凸部
３６  嵌合凹部
４０  連結手段（ヒンジ手段）
４２  連結手段（引っ掛けフック手段）
６０  網部材
Ｓ  シーツ
【図１】
2014221036.tif 000003
【図２】
2014221036.tif 000004
【図３】
2014221036.tif 000005
【図４】
2014221036.tif 000006
【図５】
2014221036.tif 000007
【図６】
2014221036.tif 000008
【図７】
2014221036.tif 000009